(57)【要約】      （修正有）【課題】電子機器やその周辺機器及びファンを内蔵しているユニットを安定格納し、ファンによるユニット内部の冷却機能を阻害せず、ユニットから発する騒音や振動を軽減し、屋内外に設置可能な消音及び制振機能を有するユニット格納用筐体を提供する。【解決手段】開閉扉１ａにより開閉される箱体状の筐体本体１内にはユニット５０が格納される。このユニット５０はユニット５０及び筐体本体１に密接する吸気導入部２及び排気導入部３により筐体本体１間に安定保持され、制振材を介してユニット保持ベース上に搭載される。筐体本体１の開閉扉１ａ側の下面にある吸気導入部２から入った空気は吸気導入部２を介してユニット５０の吸気口からユニット５０内に入って進み、ユニット５０の排気口から排気導入部３に入り、これに連通する排気ダクト４を通って筐体排気口５から外気側に排出される。筐体本体１等の内面には吸音材が貼着されている。【選択図】図１
2008021815.tif 000002
【特許請求の範囲】
【請求項１】
電子機器及びその周辺機器とファンとを内蔵し相対向する側面に吸気口と排気口とを有しそれ自体として消音対策及び／又は防振対策が施されていないユニットを格納し、該ユニットから発生する騒音及び／又は振動を軽減する屋外又は屋内設置式のユニット格納用筐体であって、該ユニット格納用筐体は、開閉扉により開閉される開口部を正面側に形成する箱体状の筐体本体と、該筐体本体の内側面と前記ユニットの外側面との間に介設され両者に密接して配置される吸気導入部及び排気導入部と、該排気導入部に連通し前記筐体本体の背面側に形成され前記ユニットの排気口面積より広い開口面積を有する排気ダクトと、該排気ダクトに連通し前記筐体本体の側面に開口形成される筐体排気口と、該筐体排気口から離れた前記筐体本体の前記開口部側の下面に開口形成される筐体吸気口とを有し、前記開閉扉や前記筐体本体の露出面に吸音材を設け、前記ユニットの搭載箇所に制振材を設けることを特徴とする消音及び制振機能を有するユニット格納用筐体。
【請求項２】
前記ユニットと前記排気導入部との間には気密用パッキンが介設されることを特徴とする請求項１に記載の消音及び制振機能を有するユニット格納用筐体。
【請求項３】
前記開口部，筐体吸気口，筐体排気口には水切り手段やシール用パッキンが設けられることを特徴とする請求項１に記載の消音及び制振機能を有するユニット格納用筐体。
【請求項４】
前記筐体本体内には前記ユニットが単数又は複数個格納され、前記ユニットは前記筐体本体内に固定又は前記開口部に向かって回動可能に形成されることを特徴とする請求項１に記載の消音及び制振機能を有するユニット格納用筐体。
【発明の詳細な説明】
【技術分野】
【０００１】
本発明は、高度情報化社会の中、光通信などの超高速通信網の整備に伴い、従来局舎等の専用建造物内で使用されていた各種機器を一般ビルや集合住宅・一般家庭内に設置するに当たり同機器から発生する騒音や振動を抑えると共に、局舎の様に高速・高密度の半導体機能素子を用いた各種機器の使用に適した環境が整備されていない建造物でもファン等の冷却機器を用いず使用可能とした消音及び制振機能を有するユニット格納用筐体に関する。
【背景技術】
【０００２】
光通信などの超高速通信網では交換局のみならず端末側にも専用の機器が必要となるが、これらの機器は高度な半導体集積回路を用い、超高速信号処理を行っているためその発熱量は膨大な物となり、安定した動作を保証するためには大量の空気ファン等で強制的に対流させその熱を外部に放出させる必要が有り、この種の公知技術として例えば「特許文献１」や「特許文献２」や「特許文献３」等が挙げられる。以上の各機器は作動部において騒音や振動が発生する。従来、局舎等の防音や空調の設備が整い各機器には冷気導入路や熱排気放出路で流路が確保された専用建造物内では問題とならなかったが、これら発熱や騒音或いは振動は一般建造物では大きな問題となり普及の妨げとなっている。
【特許文献１】実開平４−８５７８５号（図１）
【特許文献２】特開平３−３４３９５号（図１）
【特許文献３】特開平５−２２６８６４号（図１）
【発明の開示】
【発明が解決しようとする課題】
【０００３】
「特許文献１」の「実開平４−８５７８５号」の「強制空冷筐体」は通信機をキャビネット（１０）内に収納し、この通信機にキャビネット（１０）内に配置されているファン（６）により斜上方に向かう風を発生させ吸音誘導板（２）や吸音材（４）を介してキャビネット（１０）内の空気を排出させて通信機の冷却及び消音を行うようにしたものである。以上のように、この公知技術は別体のファン（６）を必要としている。また、空気の排出構造は明確になっているが、空気の吸気手段が不明確であり、空気の全体的流れが不明である。
「特許文献２」の「特開平３−３４３９５号」の「電子機器の冷却装置」は筐体（３）内に配置それる基板（６）を冷却するものであるが、図示のように別体のファン（４）が筐体（３）の下方に配置され、空気は筐体（３）の上方から吸入され、筐体（３）の下方から排出される構造からなる。この場合、基板（６）の発熱を吸収した排気の一部が上方側に流れ、吸気と混合する現象（所謂熱フィードバック）が生じ、冷却効率を大きく低下させる問題点がある。
また、「特許文献３」の「特開平５−２２６８６４号」の「電子機器の低騒音化構造」は前記の公知技術と同じく別体のファン（５）等を必要とし、かつ空気流れも「特許文献２」と同じく上方から下方に向かって流れ熱フィードバックの生ずる問題点がある。
【０００４】
いずれにしても通信用電子機器を収納する筐体としてはその性格上セキュリティ確保のため、鍵の掛かる金属筐体に格納しなければならない。そこで格納用筐体に防音や防振機能を持たせ、かつ冷却能力を低下させないよう、適切な吸排気口及び流路を確保した専用筐体を使用することが必要となる。これらの機器から発生する騒音は強制空冷により発生する風切り音と振動により発生する振動音の２種類に大分されるが、風切り音に対してはその流路を吸音材で覆ったダクト状の構造物を形成することで解消を図ることができる。また、これらのユニットはラックへの搭載を想定し、入出力や操作・表示部を前面及び背面に集中させ、側面の一方を吸気口、他方を排気口となるよう設計されているため、筐体の外部吸気口からユニットを介し外部排気口までの連続した消音機構を容易に構築することが可能である。
【０００５】
この際、ユニツトの保持機構に防振機能を付加することで振動を吸収すると共に、ユニット表面から発生する振動音に対しては扉も含め筐体内側に吸音材を貼付し外部に漏れることを防ぐことができる。
【０００６】
しかし、ダクトは気流を発生させるファンに取っては新たな負荷となり当初期待していた冷却能力を損なう危険性が有り、かつユニットの排気口と排気側ダクトの間が最も圧力が高くこの間で熱排気が筐体内に漏れ出し冷却用の冷気に混入し冷却効率を極端に低下させる熱フィードバックという現象が引き起こす可能性も有する。また、この現象は筐体の吸排気口の位置関係でも起こり、特に排気口を下部に配置し吸気口をその上部に置いた場合その冷却効果は期待できない。
【０００７】
そこで、騒音が大きい排気側にユニット側排気部の開口面積より十分に大きい開口面積を持ったダクトをユニットの排気口に密着させ気密性を保持すると共に熱排気の筐体外への排出を促進し、騒音が比較的少ない吸気側はユニット開口部から極力離れたところに筐体吸気口を設け吸音材で覆われた筐体内を通過させることで騒音の減少を図ることができる。この際、筐体吸気口を下面に、筐体排気口を側面中央に設けることで熱フィードバックを防ぎ効率的な放熱を可能となる。
【０００８】
本発明は、以上の事情に鑑みて発明されたものであり、公知技術のように別体のファン等を用いることなく、空気の流路の工夫と熱フィードバックの防止構造と吸音材や制振材の配置によりユニットの騒音や防振を図り、屋内外に設置可能であり、コンパクトにまとめられた消音及び制振機能を有するユニット格納用筐体を提供することを目的とする。
【課題を解決するための手段】
【０００９】
本発明は、以上の目的を達成するために、請求項１の発明は、電子機器及びその周辺機器とファンとを内蔵し相対向する側面に吸気口と排気口とを有しそれ自体として消音対策及び／又は防振対策が施されていないユニットを格納し、該ユニットから発生する騒音及び／又は振動を軽減する屋外又は屋内設置式のユニット格納用筐体であって、該ユニット格納用筐体は、開閉扉により開閉される開口部を正面側に形成する箱体状の筐体本体と、該筐体本体の内側面と前記ユニットの外側面との間に介設され両者に密接して配置される吸気導入部及び排気導入部と、該排気導入部に連通し前記筐体本体の背面側に形成され前記ユニットの排気口面積より広い開口面積を有する排気ダクトと、該排気ダクトに連通し前記筐体本体の側面に開口形成される筐体排気口と、該筐体排気口から離れた前記筐体本体の前記開口部側の下面に開口形成される筐体吸気口とを有し、前記開閉扉や前記筐体本体の露出面に吸音材を設け、前記ユニットの搭載箇所に制振材を設けることを特徴とする。
【００１０】
また、請求項２の発明は、前記ユニットと前記排気導入部との間には気密用パッキンが介設されることを特徴とする。
【００１１】
また、請求項３の発明は、前記開口部，筐体吸気口，筐体排気口には水切り手段やシール用パッキンが設けられることを特徴とする。
【００１２】
また、請求項４の発明は、前記筐体本体内には前記ユニットが単数又は複数個格納され、前記ユニットは前記筐体本体内に固定又は前記開口部に向かって回動可能に形成されることを特徴とする。
【発明の効果】
【００１３】
本発明の請求項１の消音及び制振機能を有するユニット格納用筐体によれば、空気は筐体本体の開口部側の下面に設けられている筐体吸気口より筐体本体内に入り、この位置から離れた位置にある吸気導入部とユニットの吸気口を介してユニツト内に入り、ユニット内をユニット内のファンにより進み、ユニットの排気口及び排気導入部側に送られ、排気導入部から排気ダクトに送られて、筐体吸気口から離れた位置にある筐体排気口から放出される。以上の空気の流れによりユニットの放熱が行われ、この空気の流れと吸音材や制振材との併用によりユニットから発生する騒音や制振が低減される。また、筐体吸気口と筐体排気口の位置関係から熱フィードバックは生じない。
【００１４】
また、本発明の請求項２の消音及び制振機能を有するユニット格納用筐体によれば、ユニットと排気導入部との間に気密パッキンが介在するため気密性の向上が図られ、一層の消音効果を上げることができる。
【００１５】
また、本発明の請求項３の消音及び制振機能を有するユニット格納用筐体によれば、開口されている部位に水切り手段やシール用パッキンが設けられているため、雨水の侵入の防止と気密性の向上が図れる。
【００１６】
また、本発明の請求項４の消音及び制振機能を有するユニット格納用筐体によれば、ユニットを複数個配置することができ、かつ回動式にすることによりユニットの出入が容易に行われる。
【発明を実施するための最良の形態】
【００１７】
以下、本発明の消音及び制振機能を有するユニット格納用筐体の実施の形態を図面を参照して詳述する。図１はユニット５０を格納した状態における消音及び制振機能を有するユニット格納用筐体１００（以下、単にユニット格納用筐体１００という）の全体構造を示す斜視であり、図２はその構造を解り易くするための模式的上面図であり、図３及び図４は消音及び制振機能を有するユニット格納用筐体１００における空気流れを説明するための模式的正面図及び模式的斜視図である。また、図５は回動可能なユニットの概要構造を示す斜視図である。
【００１８】
ユニット５０については消音及び制振機能を有するユニット格納用筐体１００に格納される対象物であり、各種のものがあるが、概要構造としては箱体５０ａとこの内部に収納されている電子機器及びその周辺機器５０ｂとファン５０ｃとからなり、その一側面には吸気口５０ｄと他側面に排気口５０ｅが開口形成されるものからなる。なお、ユニット５０の詳細構造は本発明と直接関係ないため説明を省略する。
【実施例１】
【００１９】
消音及び制振機能を有するユニット格納用筐体１００は、大別して、開閉扉１ａを有する筐体本体１と、吸気導入部２と、排気導入部３と、排気ダクト４と、筐体排気口５と、筐体吸気口６と、吸音材７及び制振材８等とからなり、以下にその詳細構造を説明する。
【００２０】
筐体本体１は、正面側に開口部１ｂを有する箱体状のものからなり、開閉扉１ａが開閉自在に結合される。なお、筐体本体１の開口部１ｂには図略の水切り手段やシール用パッキンが設けられ、開閉扉１ａ側にも図略のシール用パッキン及び吸音材７が設けられている。また、筐体本体１の側面には配線用孔１１が設けられている。
【００２１】
ユニット５０は筐体本体１の開口部１ｂからやや奥に入った位置に格納され、ユニット５０の背面と筐体本体１の背面側との間には排気ダクト４を形成する隙間が形成される。なお、この排気ダクト４の開口面積はユニット５０の排気口の開口面積より広いものからなる。また、ユニット５０は、筐体本体１側に両端側を保持されるユニット保持ベース９上に搭載され、ユニット５０の下面とユニット保持ベース９との間には制振材８が介設される。また、ユニット５０はユニット保持ベース９上に搭載されると共にユニット５０のまわりを保持するユニット保持部１０により安定保持される。なお、ユニツト保持部１０のユニット５０の吸気口５０ｄや排気口５０ｅと対峙する位置には開口部１０ａ，１０ｂが形成される。
【００２２】
吸気導入部２は筐体本体１の一側内面とユニット５０の吸気口５０ｄのある側の外面との間に介設され、排気ダクト４により保持されるユニット保持ベース９上に搭載される。なお、この吸気導入部２は筐体本体１とユニット５０とに密接（詳しくはユニット保持部１０に密接）して配置される。また、図３に示すように、この吸気導入部２は上下に開口部２ａ，２ｂを形成し、ユニット５０側に開口部２ｃを形成するものからなる。
【００２３】
排気導入部３は筐体本体１の他側内面とユニット５０の排気口５０ｅのある側の外面との間に介設され、排気ダクト４に保持されるユニット保持ベース９上に搭載される。なお、この排気導入部２は筐体本体１とユニット５０とに密接（詳しくはユニット保持部１０に密接）して配置される。また、図３に示すように、この排気導入部３は排気ダクト４側に開口部３ａを有すると共にユニツト５０側に開口部３ｂを有するものからなる。
【００２４】
排気ダクト４は、前記のように筐体本体１の奥側に形成され、排気導入部３の開口部３ａと連通して配置される。なお、排気ダクト４を囲む露出面には吸音材７が貼着されている。
【００２５】
筐体排気口５は筐体本体１の側面の奥側に開口形成され、排気ダクト４と連通して配置される。一方、筐体吸気口６は筐体本体１の開口部１ａ側の底面の筐体本体１の他側面に近い位置に開口形成される。また、筐体排気口５や筐体吸気口６には雨水の侵入を防止する図略の手段が設けられ、筐体本体１や吸気導入部２や排気導入部３や排気ダクト４等の露出口には吸音材７が貼着されていることは勿論である。
【００２６】
次に、本発明の消音及び制振機能を有するユニット格納用筐体１００における空気の流れや消音及び制振の作用について主として図３及び図４により説明する。
まず、外気は筐体本体１の開口部２ａ側の下面にある筐体吸気口６から筐体本体１内にＡ矢印のように入り、ユニット５０の表面に沿って進み、図の左端にある吸気導入部２の開口部２ａ，２ｂ等から吸気導入部２内に入りＢ矢印のように吸気導入部２の開口部２ｃやユニット保持部１０の開口部１０ａ等を介してユニット５０の吸気口５０ｄからユニット５０内に入る。ユニット５０内には内蔵されているファン５０ｃがあるため吸気口５０ｄからユニット５０内に入った空気はユニット５０内を進み、Ｃ矢印のようにユニット５０の排気口５０ｅからユニット保持部１０の開口部１０ｂを介して排気導入部３の開口部３ｂから排気導入部３内に入る。
【００２７】
排気導入部３内に入った空気は、これに連通している排気ダクト４内に入り、排気ダクト４内を進み、筐体本体１の筐体排気口５から外部に排出される。このような空気流れのため、図４に示すようにファン５０ｃを境としてユニット５０内には減圧側と加圧側が生じ、ユニット５０内に入った空気の逆流は生じない。また、筐体吸気口６と筐体排気口５とは離れた位置にあり、かつ筐体吸気口６は筐体排気口５より下方にあるため、前記したように熱フィードバックが生じない。
【００２８】
筐体本体１や吸気導入部２や排気導入部３等の露出面には吸音材７が貼着されているため、以上の空気流れの中でユニット５０から発せられた騒音が消音され筐体本体１からの騒音はかなり軽減される。また、ユニット５０を搭載しているユニット保持ベース９上の制振材８によりユニット５０の振動は軽減される。以上により、ユニット５０の消音や制振の大きな効果を上げることができる。
また、前記のように、開閉扉１ａや筐体排気口５や筐体吸気口６のまわりには水切り手段等が設けられ、筐体本体１の内部への雨水や塵埃の侵入が防止される。
【実施例２】
【００２９】
実施例１の消音及び制振機能を有するユニット格納用筐体１００の場合は、ユニット５０は単体のものが格納され、かつユニット５０は固定式のものであったが、実施例２の消音及び制振機能を有するユニット格納用筐体１００ａはユニット５０は複数（図示では２個）のものが格納され、かつユニット５０は筐体本体１内に回動可能に支持される場合が開示されている。ユニット５０は開口部１ｂ側に向かって回動するように形成されているため、ユニット５０の出入（交換）動作が容易にでき、ユニット格納効率の向上を図ることができる。
【００３０】
以上により、本発明の消音及び制振機能を有するユニット格納用筐体の実施例を説明したが、本発明は以上の内容に限定するものでなく、同一技術的範疇のものが適用されることは勿論である。また、筐体本体等の各部の構成要素の材質の特に限定するものではなく、一般的にはステンレス鋼が使用される。
【産業上の利用可能性】
【００３１】
本発明の消音及び制振機能を有するユニット格納用筐体は、前記のようなユニットを格納するものに限定されず、密閉体内に格納されて消音や制振の必要なユニットのすべてに適用可能であり、その利用範囲は広い。
【図面の簡単な説明】
【００３２】
【図１】本発明の消音及び制振機能を有するユニット格納用筐体の一実施例の全体構造を示す斜視図。
【図２】本発明の消音及び制振機能を有するユニット格納用筐体の構造を解り易く説明するための模式的上面図。
【図３】本発明の消音及び制振機能を有するユニット格納用筐体の構造を解り易く説明するための模式的正面図。
【図４】本発明の消音及び制振機能を有するユニット格納用筐体の構造を解り易く説明するための模式的斜視図。
【図５】回動式のユニットを格納する消音及び制振機能を有するユニット格納用筐体の実施例を示す斜視図。
【符号の説明】
【００３３】
１        筐体本体
１ａ      開閉扉
１ｂ      開口部
２        吸気導入部
２ａ      開口部
２ｂ      開口部
２ｃ      開口部
３        排気導入部
３ａ      開口部
３ｂ      開口部
４        排気ダクト
５        筐体排気口
６        筐体吸気口
７        吸音材
８        制振材
９        ユニット保持ベース
１０      ユニット保持部
１０ａ    開口部
１０ｂ    開口部
１１      配線用孔
５０      ユニット
５０ａ    箱体
５０ｂ    電子機器及びその周辺機器
５０ｃ    ファン
５０ｄ    吸気口
５０ｅ    排気口
１００    消音及び制振機能を有するユニット格納用筐体
１００ａ  消音及び制振機能を有するユニット格納用筐体
【図１】
2008021815.tif 000003
【図２】
2008021815.tif 000004
【図３】
2008021815.tif 000005
【図４】
2008021815.tif 000006
【図５】
2008021815.tif 000007
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
電子機器及びその周辺機器と送風用のファンを内蔵し相対向する側面に吸気口と排気口とを有しそれ自体として消音対策及び／又は防振対策が施されていないユニットを格納し、該ユニットから発する熱と騒音及び／又は振動を軽減し、屋外又は屋内に設置され、その内部の露出面に吸音材を貼着してなるユニット格納用筐体であって、該ユニット格納用筐体は、内部に前記ユニットの有するファン以外のファンを有しないファンレスの箱体状の筐体本体と、該筐体本体に開口形成されて外気側に連通する筐体吸気口と、前記筐体本体の内側面と前記ユニットの前記吸気口及び排気口の形成されている外側面との間に介設されて両者に密接して配置される吸気導入部及び排気導入部と、該排気導入部に連通し前記筐体本体の背面側に形成され前記ユニットの排気口面積より広い開口面積を有する排気ダクトと、該排気ダクトに真っ直ぐに連通し前記筐体本体の側面に開口形成される筐体排気口とを有し、前記排気ダクトは、前記筐体本体の背面側の内面と前記ユニットの背面側の外面との間に形成され前記筐体本体の横幅と等しい横寸法を有し、直線状に形成される横長形状のものからなることを特徴とする消音及び制振機能を有するユニット格納用筐体。
【請求項２】
前記筐体本体内に格納されるユニットが、前記筐体本体に回動可能に片持ち支持される蓋体の内部に収納されるものからなることを特徴とする請求項１に記載の消音及び制振機能を有するユニット格納用筐体。
【手続補正２】
【補正対象書類名】明細書
【補正対象項目名】０００８
【補正方法】変更
【補正の内容】
【０００８】
本発明は、以上の事情に鑑みて発明されたものであり、公知技術のように別体のファンを筐体本体内に配置せず、空気の流路の工夫により熱フィードバックを防止すると共にユニットの排気口面積より広い開口面積を有し、筐体本体の横幅と等しい横寸法を有する直線で横長の排気ダクトを設け、かつユニットと筐体本体との間に密接して配置される吸気導入部及び排気導入部を設け、ユニットの放熱や消音及び制振効果を図り、屋内外に設置可能であり、コンパクトにまとめられた消音及び制振機能を有するユニット格納用筐体を提供することを目的とする。
【手続補正３】
【補正対象書類名】明細書
【補正対象項目名】０００９
【補正方法】変更
【補正の内容】
【０００９】
本発明は、以上の目的を達成するために、請求項１の発明は、電子機器及びその周辺機器と送風用のファンを内蔵し相対向する側面に吸気口と排気口とを有しそれ自体として消音対策及び／又は防振対策が施されていないユニットを格納し、該ユニットから発する熱と騒音及び／又は振動を軽減し、屋外又は屋内に設置され、その内部の露出面に吸音材を貼着してなるユニット格納用筐体であって、該ユニット格納用筐体は、内部に前記ユニットの有するファン以外のファンを有しないファンレスの箱体状の筐体本体と、該筐体本体に開口形成されて外気側に連通する筐体吸気口と、前記筐体本体の内側面と前記ユニットの前記吸気口及び排気口の形成されている外側面との間に介設されて両者に密接して配置される吸気導入部及び排気導入部と、該排気導入部に連通し前記筐体本体の背面側に形成され前記ユニットの排気口面積より広い開口面積を有する排気ダクトと、該排気ダクトに真っ直ぐに連通し前記筐体本体の側面に開口形成される筐体排気口とを有し、前記排気ダクトは、前記筐体本体の背面側の内面と前記ユニットの背面側の外面との間に形成され前記筐体本体の横幅と等しい横寸法を有し、直線状に形成される横長形状のものからなることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、請求項２の発明は、前記筐体本体内に格納されるユニットが、前記筐体本体に回動可能に片持ち支持される蓋体の内部に収納されるものからなることを特徴とする。
【手続補正７】
【補正対象書類名】明細書
【補正対象項目名】００１３
【補正方法】変更
【補正の内容】
【００１３】
本発明の請求項１の消音及び制振機能を有するユニット格納用筐体によれば、外気は筐体吸気口から筐体本体内に入り、吸気導入部からユニットの吸気口を介してユニット内に入り、ユニット内の送気用のファンにより排気口側に送られ排気口から排気導入部を通って排気ダクトに送られ筐体排気口から排気されてユニットの放熱、消音、制振を行う。排気音は筐体本体の横幅と等しい横寸法を有し直線で横長の排気ダクト内でユニットと筐体本体との壁で反射しながら排気ダクト内に進みダクト内の吸音材により効果的に消音及び制振されて筐体排気口より排出される。以上の空気流れによってユニットから発生する熱や騒音や振動が低減される。また、本発明の消音及び制振機能を有するユニット格納用筐体は筐体内にユニットのファン以外のファンがなく、かつ排気が筐体の下方から排出されるものでないため、構造簡単でメンテナンスがほとんど不要であり、熱フィードバックも生じない。また、吸気導入部及び排気導入部は筐体本体とユニットとに密接しているため吸気や排気の漏れがなく効果的な消音等が行われ、漏れ空気によるユニットの損傷を防止するこてができる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明の請求項２の消音及び制振機能を有するユニット格納用筐体によれば、ユニットが蓋体に保持され、蓋体が筐体本体に回動可能に支持されているためユニットの出入が容易に行われる。
【手続補正１１】
【補正対象書類名】明細書
【補正対象項目名】００２４
【補正方法】変更
【補正の内容】
【００２４】
排気ダクト４は、筐体本体１の背面側の内面とユニット５０の背面側の外側との間に形成される直線で横長のものからなり、かつ筐体本体の横幅と等しい横寸法を有するためここを流れる空気の音は排気ダクト４内で反射を繰返し行われ、消音効果を上げることができる。また、吸音材７により一層の消音や制振が行われる。
【手続補正１２】
【補正対象書類名】明細書
【補正対象項目名】００２６
【補正方法】変更
【補正の内容】
【００２６】
次に、本発明の消音及び制振機能を有するユニット格納用筐体１００における空気の流れや吸音及び制振の作用について図２乃至図４により説明する。
まず、外気は筐体本体１の開口部２ａ側の下面にある筐体吸気口６から筐体本体１内にＡ矢印のように入り、ユニット５０に沿って進み、図の左端にある吸気導入部２の開口部２ａ，２ｂ等から吸気導入部２内に入りＢ矢印のように吸気導入部２の開口部２ｃやユニット保持部１０の開口部１０ａ等を介してユニット５０の吸気口５０ｄからユニット５０内に入る。ユニット５０内には内蔵されているファン５０ｃがあるため吸気口５０ｄからユニット５０内に入った空気はユニット５０内を進み、Ｃ矢印のようにユニット５０の排気口５０ｅからユニット保持部１０の開口部１０ｂを介して排気導入部３の開口部３ｂから排気導入部３内に入る。排気導入部３内に入った空気は、これに連通している排気ダクト４内に入り、排気ダクト４内を進み、筐体本体１の筐体排気口５から外部に排出される。吸気導入部２は筐体本体１の内面とユニット５０の吸気口５０ｄのある側面に密接して配置されるため吸気は全てユニット５０内に入り、吸気はユニット５０を冷却しながら排気口５０ｅ側に送られ、これに密接している排気導入部３側に全て送られる。この送気は排気導入部３を介しこれに連通している排気ダクト４内に送られる。この排気ダクト４は筐体本体１の横幅と等しい横寸法を有する横長の寸法のものからなり、ユニット５０から発する全ての騒音や振動はこの横長の排気ダクト４により消音及び制振される。また、排気ダクト４内に設けられている吸音材７によってより一層の消音や制振が行われる。
【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
電子機器及びその周辺機器と送風用のファンを内蔵し相対向する側面に吸気口と排気口とを有しそれ自体として消音対策及び／又は防振対策が施されていないユニットを格納し、該ユニットから発する熱と騒音及び／又は振動を軽減し、屋外又は屋内に設置され、その内部の露出面に吸音材を貼着してなるユニット格納用筐体であって、該ユニット格納用筐体は、内部に前記ユニットの有するファン以外のファンを有せず、開閉扉により開閉される開口部を正面側に形成する箱体状の筐体本体と、前記筐体本体の内側面と前記ユニットの前記吸気口及び排気口の形成されている外側面との間に介設されて両者に密接して配置される吸気導入部及び排気導入部と、該排気導入部に連通し前記筐体本体の背面側に形成され前記ユニットの排気口面積より広い開口面積を有する排気ダクトと、該排気ダクトに真っ直ぐに連通し前記筐体本体の側面に開口形成される筐体排気口と、前記筐体排出口から離れた前記筐体本体の前記開口部側の下面に形成される筐体吸気口とを有し、前記排気ダクトは、前記筐体本体の背面側の内面と前記ユニットの背面側の外面との間に形成され前記筐体本体の横幅と等しい横寸法を有し、直線状に形成される横長形状のものからなることを特徴とする消音及び制振機能を有するユニット格納用筐体。
【請求項２】
前記筐体本体内に格納されるユニットが、前記筐体本体に回動可能に片持ち支持されるものからなることを特徴とする請求項１に記載の消音及び制振機能を有するユニット格納用筐体。
【手続補正２】
【補正対象書類名】明細書
【補正対象項目名】０００９
【補正方法】変更
【補正の内容】
【０００９】
本発明は、以上の目的を達成するために、電子機器及びその周辺機器と送風用のファンを内蔵し相対向する側面に吸気口と排気口とを有しそれ自体として消音対策及び／又は防振対策が施されていないユニットを格納し、該ユニットから発する熱と騒音及び／又は振動を軽減し、屋外又は屋内に設置され、その内部の露出面に吸音材を貼着してなるユニット格納用筐体であって、該ユニット格納用筐体は、内部に前記ユニットの有するファン以外のファンを有せず、開閉扉により開閉される開口部を正面側に形成する箱体状の筐体本体と、前記筐体本体の内側面と前記ユニットの前記吸気口及び排気口の形成されている外側面との間に介設されて両者に密接して配置される吸気導入部及び排気導入部と、該排気導入部に連通し前記筐体本体の背面側に形成され前記ユニットの排気口面積より広い開口面積を有する排気ダクトと、該排気ダクトに真っ直ぐに連通し前記筐体本体の側面に開口形成される筐体排気口と、前記筐体排出口から離れた前記筐体本体の前記開口部側の下面に形成される筐体吸気口とを有し、前記排気ダクトは、前記筐体本体の背面側の内面と前記ユニットの背面側の外面との間に形成され前記筐体本体の横幅と等しい横寸法を有し、直線状に形成される横長形状のものからなることを特徴とする。
【手続補正３】
【補正対象書類名】明細書
【補正対象項目名】００１２
【補正方法】変更
【補正の内容】
【００１２】
また、請求項２の発明は、前記筐体本体内に格納されるユニットが、前記筐体本体に片持ち支持される蓋体の内部に収納されるものからなることを特徴とする。
【手続補正４】
【補正対象書類名】明細書
【補正対象項目名】００１３
【補正方法】変更
【補正の内容】
【００１３】
本発明の請求項１の消音及び制振機能を有するユニット格納用筐体によれば、空気は筐体本体の開口部側の下面に設けられている筐体吸気口より筐体本体内に入り、この位置から離れた位置にある吸気導入部とユニットの吸気口を介してユニット内に入り、ユニット内をユニット内のファンにより進み、ユニットの排気口及び排気導入部側に送られ、排気導入部から排気ダクトに送られて、筐体吸気口から離れた位置にある筐体排気口から放出される。以上の空気の流れによりユニットの放熱が行われ、この空気の流れと吸音材や制振材との併用によりユニットから発生する騒音や制振が低減される。また、筐体吸気口と筐体排気口の位置関係から熱フィードバックは生じない。
【手続補正５】
【補正対象書類名】明細書
【補正対象項目名】００２４
【補正方法】変更
【補正の内容】
【００２４】
排気ダクト４は、筐体本体１の背面側の内面とユニット５０の背面側の外側との間に形成される直線で横長のものからなり、かつ筐体本体の横幅と等しい横寸法を有するため消音効果を上げることができる。また、吸音材７により一層の消音や制振が行われる。
【手続補正６】
【補正対象書類名】明細書
【補正対象項目名】００２６
【補正方法】変更
【補正の内容】
【００２６】
次に、本発明の消音及び制振機能を有するユニット格納用筐体１００における空気の流れや吸音及び制振の作用について図２乃至図４により説明する。
まず、外気は筐体本体１の開口部２ａ側の下面にある筐体吸気口６から筐体本体１内にＡ矢印のように入り、ユニット５０に沿って進み、図の左端にある吸気導入部２の開口部２ａ，２ｂ等から吸気導入部２内に入りＢ矢印のように吸気導入部２の開口部２ｃやユニット保持部１０の開口部１０ａ等を介してユニット５０の吸気口５０ｄからユニット５０内に入る。ユニット５０内には内蔵されているファン５０ｃがあるため吸気口５０ｄからユニット５０内に入った空気はユニット５０内を進み、Ｃ矢印のようにユニット５０の排気口５０ｅからユニット保持部１０の開口部１０ｂを介して排気導入部３の開口部３ｂから排気導入部３内に入る。排気導入部３内に入った空気は、これに連通している排気ダクト４内に入り、排気ダクト４内を進み、筐体本体１の筐体排気口５から外部に排出される。吸気導入部２は筐体本体１の内面とユニット５０の吸気口５０ｄのある側面に密接して配置されるため吸気は全てユニット５０内に入り、吸気はユニット５０を冷却しながら排気口５０ｅ側に送られ、これに密接している排気導入部３側に全て送られる。この送気は排気導入部３を介しこれに連通している排気ダクト４内に送られる。この排気ダクト４は筐体本体１の横幅と等しい横寸法を有する横長の寸法のものからなり、ユニット５０から発する騒音や振動はこの横長の排気ダクト４により消音及び制振される。また、排気ダクト４内に設けられている吸音材７によってより一層の消音や制振が行われる。